(57)【要約】【課題】実験装置のレイアウト変更にフレキシブルに対応でき、使用時、不使用時にかかわらず通行や作業の妨げとならず、衛生的で、洗浄の妨げとなることなく地震対策を行うことができる仮設実験設備の耐震構造の提供。【解決手段】アイボルトの基部が螺着される固定穴を有する複数のアンカーを実験室の床１０に格子状に配置し、固定するべき実験装置近傍のアンカーにアイボルトを取り付け、該アイボルトにワイヤー４を固定するとともに該ワイヤー実験装置３を固定することを特徴とする仮設実験設備の耐震構造。【選択図】  図１
2004313591.tif 000002
【特許請求の範囲】
【請求項１】
アイボルトの基部が螺着される固定穴を有する複数のアンカーを実験室の床に格子状に配置し、固定するべき実験装置近傍のアンカーにアイボルトを取り付け、該アイボルトに紐状固定具を固定するとともに該紐状固定具で実験装置を固定することを特徴とする仮設実験設備の耐震構造。
【請求項２】
アイボルトを取り付けていないアンカーに前記固定穴を塞ぐキャップを取り付けた請求項１に記載の仮設実験設備の耐震構造。
【請求項３】
前記アイボルトとキャップとの床面と接する部分にガスケットを設けたことを特徴とする請求項１又は２に記載の仮設実験設備の耐震構造。
【発明の詳細な説明】
【０００１】
【発明の属する技術分野】
本発明は、仮設実験設備の耐震構造に関する。本発明の耐震構造は、実験室内にランダムに配置してある実験装置に対し、レイアウト変更にフレキシブルに対応でき、使用時、不使用時にかかわらず通行や作業の妨げとならず、衛生的で、洗浄の妨げとなることなく地震対策を行うことができる。
【０００２】
【従来の技術】
従来、実験室内に配置された実験装置に耐震性を付与するためには、それぞれの設置場所において、実験装置の脚部から床にアンカーボルトを打ち込み固定し、位置ずれ防止を行う等、実験設備における実験装置のレイアウト等によって個別に対応がなされていた。
またアンカーボルト以外の耐震装置としては、耐震摩擦型ダンパーと液圧式ダンパーとを備えた耐震装置が提案されている（例えば、特許文献１参照。）。
【０００３】
【特許文献１】
特開２００２−１３５８６号公報
【０００４】
【発明が解決しようとする課題】
前記従来技術は、一箇所に固定された装置等のための耐震構造であり、実験装置等を移動する場合には、その移動の度毎にアンカーボルトの打ち込み等の耐震施工を新たに構築しなければならない。
しかしながら、仮設実験設備は、実施する実験に応じて、実験装置を新規に設置したり、複数の実験装置のレイアウト変更等の移動が頻繁に行われるため、実験装置の移動の度毎にアンカーボルトの打ち込み等を行い、耐震性を付与することは困難であった。
【０００５】
本発明は前記事情に鑑みてなされ、ランダムに配置してある実験装置に対し、レイアウト変更にフレキシブルに対応でき、使用時、不使用時にかかわらず通行や作業の妨げとならず、衛生的で、洗浄の妨げとなることなく地震対策を行うことができる仮設実験設備の耐震構造の提供を目的とする。
【０００６】
【課題を解決するための手段】
本発明は、前記目的を達成するため、アイボルトの基部が螺着される固定穴を有する複数のアンカーを床に格子状に配置し、固定するべき実験装置近傍のアンカーにアイボルトを取り付け、該アイボルトに紐状固定具を固定するとともに該紐状固定具で実験装置を固定することを特徴とする仮設実験設備の耐震構造を提供する。
本発明の耐震構造において、アイボルトを取り付けていないアンカーに前記固定穴を塞ぐキャップを取り付けることが好ましい。
また、前記アイボルトとキャップとの床面と接する部分にガスケットを設けた構成としてもよい。
【０００７】
【発明の実施の形態】
以下、図面を参照して本発明の実施の形態を説明する。
図１は、本発明に係る仮設実験設備の耐震構造の一実施例を示す図である。この仮設実験設備は、実験室の床１０にアンカーを格子状に配置し、固定するべき実験装置近傍のアンカーにはアイボルトを取り付けてアイボルト付アンカー１とし、それ以外のアンカーにはキャップを取り付けてキャップ付アンカー２としている。実験装置３近傍に配置したアイボルト付アンカー２には、ワイヤー４（紐状固定具）の一端側が固定され、該ワイヤー４の他端側が実験装置３に固定されている。
【０００８】
図２は、本耐震構造に用いられるアイボルト５を示し、（ａ）は側面図、（ｂ）は正面図である。このアイボルト５は、ワイヤー４を固定するための穴７を有するリング状の頭部７と、アンカー８の固定穴８ａに螺着される基部６とを備えている。この頭部５ａと基部６との間の中央部分は、床１０の上面に接するように円板状に張り出している。基部６の外周には、アンカー８の固定穴８の内周面に設けられた雌ネジに螺着する雄ネジが形成されており、この基部６をアンカー８の固定穴８ａに螺着し、締結することで、アイボルト５がアンカー８に強固に固定される。
【０００９】
床１０に格子状に配置されるアンカー８は、その固定穴８ａが床１０上面に露出するように、床１０に埋め込まれ、アンカー８の上端は床１０の上面と一致するように設けられている。
【００１０】
図３は、本耐震構造に用いられるキャップ９を示し、（ａ）は平面図、（ｂ）は側面図である。このキャップ９は、アンカー８の固定穴８ａに螺着される基部１２と、外周に張り出し緩やかな曲面を持つ上面部１３とを備えている。この上面部１３には、ネジ回しやコイン状物品の先端を挿入してキャップ９を回すための溝１１が設けられている。このキャップ９は、基部１２をアンカー８の固定穴８ａに螺着し、締結することによって、アンカー８に強固に固定される。キャップ付アンカー２は、キャップ９の上面部１３が床１０の上面から僅かに盛り上がる程度となる。
【００１１】
図４は、アイボルト付アンカー１の斜視図であり、また図５は、実験装置３の脚部３ａを、ワイヤー４によってアイボルト付アンカー１に固定した状態を示す斜視図である。ワイヤー４は、一方の係合リング部４ａを実験装置３の脚部３ａに取り付け、他方の係合リング部４ｂを取り付け、中央の調節部でワイヤー長さを調節し、ワイヤー４はある程度の張りを有している。
【００１２】
実験装置３を固定するためのアイボルト付アンカー１の設置個数や配置は、実験装置３の大きさや脚部の位置などに応じて適宜設定される。例えば、図１に示すように、実験装置３に近い２つ又はそれ以上のアンカーにアイボルトを取り付けてアイボルト付アンカー１とし、実験装置３をワイヤー４で固定する。アイボルト付アンカー１以外のアンカーには、キャップを取り付けてキャップ付アンカー２としてあるので、実験装置３の周囲の床１０はアイボルト付アンカー１以外の突起は無くなり、通行や作業の妨げとならない。
【００１３】
これらの実験装置３のレイアウトを変更する場合、実験装置３を固定していたワイヤー４を外し、アイボルト付アンカー１からアイボルト５を取り外す。実験装置３を移動後、その近くのキャップ付アンカー２を決め、そのキャップ９を取り外し、その代わりにアイボルト５を取り付ける。さらに、そのアイボルト付アンカー１と実験装置３の脚部３ａとをワイヤー４で固定する。アイボルト５を取り外したアンカー８には、キャップ９を取り付ける。
【００１４】
この耐震構造は、床に多数のアンカー８を格子状に配置し、実験装置３近傍のアンカー８にアイボルト５を取り付け、このアイボルト付アンカー１と実験装置とをワイヤー４で固定する構造なので、仮設実験設備の床１０上にランダムに配置してある実験装置３に対し、レイアウト変更にフレキシブルに対応でき、使用時、不使用時にかかわらず通行や作業の妨げとならず、衛生的で、洗浄の妨げとなることなく地震対策を行うことができる。
【００１５】
図６は、本発明の他の実施例を示す図である。本実施例のアイボルト付アンカー１ａは、先の実施例によるアイボルト付アンカー１とほぼ同様の構成要素を備えている。本実施例のアイボルト付アンカー１ａは、アイボルト５の張り出した中央部に、取付時に床１０上面と密接するガスケット１４を設けた構成になっている。
【００１６】
ガスケット１４は、ゴムなどの弾性材料で造られたリング状の部材であり、アイボルト５の中央部に嵌着されている。このガスケット１４は、アイボルト５をアンカー８に取り付け、締結した時点で床１０上面に圧接し、床１０の埃や液体がアンカー８に侵入するのを防止できる。
なお、このガスケット１４は、アイボルト付アンカー１のみでなく、キャップ付アンカー２にも設けられる。
【００１７】
本実施例は、アイボルト５取付時に床１０に密接するガスケット１４を設けた構成としたので、アンカー８への埃や液体の侵入を防いで、より衛生的であり、床１０の洗浄作業性を向上させることができる。
【００１８】
【発明の効果】
この耐震構造は、床に多数のアンカーを格子状に配置し、実験装置近傍のアンカーにアイボルトを取り付け、このアイボルト付アンカーと実験装置とをワイヤーで固定する構造なので、仮設実験設備の床上にランダムに配置してある実験装置に対し、レイアウト変更にフレキシブルに対応でき、使用時、不使用時にかかわらず通行や作業の妨げとならず、衛生的で、洗浄の妨げとなることなく地震対策を行うことができる。
【図面の簡単な説明】
【図１】本発明の耐震構造の一実施例を示す仮設実験設備の平面図である。
【図２】本発明の耐震構造に用いるアイボルトを示し、（ａ）は側面図、（ｂ）は正面図である。
【図３】本発明の耐震構造に用いるキャップを示し、（ａ）は平面図、（ｂ）は側面図である。
【図４】アイボルト付アンカーの斜視図である。
【図５】アイボルト付アンカーと実験装置の脚部とをワイヤーで固定した状態を示す斜視図である。
【図６】本発明の他の実施例を示し、アイボルト付アンカーの一部断面視した正面図である。
【符号の説明】
１…アイボルト付アンカー、２…キャップ付アンカー、３…実験装置、３ａ…脚部、４…ワイヤー（紐状固定具）、４ａ，４ｂ…係合リング部、５…アイボルト、５ａ…頭部、６…基部、７…穴、８…アンカー、８ａ…固定穴、９…キャップ、１０…床、１１…溝、１２…基部、１３…上面部、１４…ガスケット。
【図１】
2004313591.tif 000003
【図２】
2004313591.tif 000004
【図３】
2004313591.tif 000005
【図４】
2004313591.tif 000006
【図５】
2004313591.tif 000007
【図６】
2004313591.tif 000008